(57)【要約】【課題】装置内部に取り込んだ空気をファンを介して効率良く排気するとともに、雨水が吸気口および排気口から装置内部に浸入するのを防止し、さらにはファンのメンテナンス時の作業性に優れた屋外設置パワーコンディショナ装置を提供する。【解決手段】屋外設置パワーコンディショナ装置の冷却構造は、吸気口５と排気口６とを有する外箱２と、外箱２内に設けられた電力変換部１４と、外箱２内に設けられて、電力変換部１４を冷却するファン１５とを備える。このファン１５は、吸気口５から取り入れられた気体を電力変換部１４を介して排気口６へ流れるように送風する。ファン１５から送り出される気体の流れる方向である矢印４６が示す方向と、排気口６から排出される気体の流れる方向である矢印４７が示す方向とが鋭角をなすように、ファン１５が排気口６に対して傾斜している。【選択図】　　　　図３
2004055681.tif 000002
【特許請求の範囲】
【請求項１】
吸気口と第１の排気口とを有する筐体と、
前記筐体内に設けられた電力変換部と、
前記筐体内に設けられて、前記吸気口から取り入れられた気体を前記電力変換部を介して前記第１の排気口へ流れるように送風して前記電力変換部を冷却するファンとを備え、
前記ファンから送り出される気体の流れる方向と、前記第１の排気口から排出される気体が流れる方向とが鋭角をなすように、前記ファンが前記第１の排気口に対して傾斜している、屋外設置パワーコンディショナ装置の冷却構造。
【請求項２】
前記第１の排気口と連通し、かつ前記筐体と隣接して設けられた排気路形成部材をさらに備え、前記排気路形成部材は、前記第１の排気口から排出された気体を屋外設置パワーコンディショナ装置の外部に排出するための第２の排気口を含む、請求項１に記載の屋外設置パワーコンディショナ装置の冷却構造。
【請求項３】
前記筐体は、前記第１の排気口から前記第２の排気口に向けて気体を案内する排気ガイドを含む、請求項２に記載の屋外設置パワーコンディショナ装置の冷却構造。
【請求項４】
前記筐体の内部側で、前記吸気口を覆うように形成された防水部材をさらに備え、前記防水部材は、前記吸気口から前記電力変換部に向けて気体を案内する吸気ガイドを含む、請求項１から３のいずれか１項に記載の屋外設置パワーコンディショナ装置の冷却構造。
【請求項５】
前記ファンは、前記筐体から直接脱着可能に取り付けられている、請求項１から４のいずれか１項に記載の屋外設置パワーコンディショナ装置の冷却構造。
【発明の詳細な説明】
【０００１】
【発明の属する技術分野】
この発明は、一般的には屋外設置パワーコンディショナ装置の冷却構造に関し、より特定的には、屋外設置パワーコンデショナ装置の内部に導入する冷却用気体を効率良く循環させる機構を備えた屋外設置パワーコンディショナ装置の冷却構造に関する。
【０００２】
【従来の技術】
太陽電池または燃料電池などは、２次電池などの他のエネルギ源を介在しなくても直流電源として動作し直流電力を出力するため、有害な物質を排出しないシンプルでクリーンなエネルギ源として知られている。そして、このような独立した直流電源から発生した直流電力を交流電力に変換し、一般交流負荷または既存の商用電力系統に電力を供給する装置として屋外設置パワーコンディショナ装置が用いられている。図６は、従来技術の屋外設置パワーコンディショナ装置の外観を示す斜視図である。
【０００３】
図６を参照して、屋外設置パワーコンディショナ装置１０１は、外箱１０２と、外箱１０２の正面側に設けられている開口部を塞ぐ蓋１０４と、取付け板１０３とを備える。取付け板１０３が建造物外壁に取付けられて、屋外設置パワーコンディショナ装置１０１が屋外に設置される。外箱１０２の底面１０２ａには吸気口１０５が、外箱１０２の背面１０２ｂには排気口１０６が設けられている。吸気口１０５は、矩形の孔が複数列にわたって形成されて設けられている。取付け板１０３は、外箱１０２の背面１０２ｂ側に排気口１０６と連通して設けられており、その側面にはスリット部１０７が設けられている。
【０００４】
図７は、図６中のＶＩＩ−ＶＩＩ線上に沿った断面図である。図７を参照して、外箱１０２の内部には、太陽電池などから出力された直流電力を交流電力に変換する電力変換部１３５が設けられている。この電力変換部１３５の中で最も発熱するパワー素子１１４が、外箱１０２の底面１０２ａ上に取付けられたヒートシンク１１１の表面に接するように設けられている。
【０００５】
外箱１０２の上方では、ファン支持部１１７がねじ１１８によって外箱１０２の背面１０２ｂに止め付けられている。ファン支持部１１７とヒートシンク１１１との間に位置するように、ファン１１６がねじ１１５ａおよび１１５ｂによってファン支持部１１７に止め付けられている。ファン１１６内部には回転羽根が設けられており、矢印１３１に示す方向に空気が送風される。ファン１１６によってファン支持部１１７内に導入された空気は、矢印１３２に示す方向に流れて排気口１０６から排出される。ファン１１６は、矢印１３１に示す方向と矢印１３２に示す方向とで形成される角度βが９０°となるように設けられている。
【０００６】
外箱１０２の背面１０２ｂには、上部引っ掛け部１２０、中央部引っ掛け部１３３および下部ねじ止め部１１９が設けられており、これらの部分を取付け板１０３の対向する部分に係止およびねじ止めして、外箱１０２を取付け板１０３に固定する。
【０００７】
図８は、図６中のＶＩＩＩ−ＶＩＩＩ線上に沿った断面図である。図８を用いて、従来技術の屋外設置パワーコンディショナ装置１０１の冷却構造について説明する。
【０００８】
図８を参照して、ファン１１６内の回転羽根１２９を稼働させることによって、外箱１０２の底面１０２ａに設けられた吸気口１０５から外部の冷たい空気がヒートシンク１１１内に取り込まれる。ヒートシンク１１１の内部は上下方向に延びる羽根部によって複数の部屋に分かれており、このように形成された各々の部屋を空気が通過する。パワー素子１１４で発生する熱はヒートシンク１１１の羽根部に伝導しているため、ヒートシンク１１１内の羽根部と接触しながら空気が通過することによって、その羽根部が有する熱が奪われる。その結果、電力変換部１３５が冷却されることとなる。
【０００９】
ヒートシンク１１１内の羽根部との熱交換により熱せられた空気は、ヒートシンク１１１の上方に移動し、ファン１１６の底面に設けられた孔１２３、およびファン支持部１１７の底面に設けられた孔１２４を通過してファン支持部１１７内に送られる。ファン支持部１１７内に送られた空気は、一旦ファン支持部１１７の上面に当たる。上面に当たった空気の約５０％が、排気口１０６側の矢印１２６に示す方向に流れ、残りの約５０％が排気口１０６とは反対側の矢印１２７に示す方向に流れてファン支持部１１７内を循環する。
【００１０】
排気口１０６から排出された空気は、取付け板１０３によって形成される空間を通過してスリット部１０７より排出される。この際、空気は矢印１２８に示す方向に流れるため、一旦取付け板１０３に当たってスリット部１０７より屋外設置パワーコンディショナ装置１０１の外部に排出される。
【００１１】
【発明が解決しようとする課題】
このように外部の冷たい空気を積極的に取り込みこの空気によって内部の空冷を行なう冷却構造においては、熱交換を行なった空気をスムーズに装置外部に排出することが必要である。また、屋外設置パワーコンディショナ装置の筐体は、雨水や埃といった外的要因から筐体内部に設けられた電子機器を保護しなければならない。さらに、外部の空気を取り込むファンはモータ駆動であって消耗品であるため寿命がくると交換する。このため、ファンのメンテナンスが容易に行なえなければならない。
【００１２】
しかし、従来技術の屋外設置パワーコンディショナ装置１０１では、ファン１１６によって送り出される空気の流れる方向と、排気口１０６から排出される空気の流れる方向とが相対的に垂直の関係にあったため、ファン１１６に吸い込まれた空気が効率良く外箱１０２の外部に排出されない。また、取付け板１０３の内部においても空気は一旦取付け板１０３に当たるため、スリット部１０７から屋外設置パワーコンディショナ装置１０１の外部に効率良く排出されない。以上のような理由により、ヒートシンク１１１における電力変換部１３５の冷却効率が低下し、電力変換部１３５の温度上昇を十分に抑えることができないおそれがある。
【００１３】
また、吸気口１０５および排気口１０６の開口面積を大きくすることによって、外箱１０２内部により多くの空気を取り込み冷却効率を向上させようとした場合、暴風雨時などに吸気口１０５および排気口１０６から外箱１０２内に雨水が浸入するというおそれがある。
【００１４】
さらに、ファン１１６のメンテナンスのためファン１１６を外箱１０２から取り外そうとすると、ねじ１１５ａおよび１１５ｂをはずす際にヒートシンク１１１および電力変換部１３５との干渉が問題となる。このため、まずねじ１１８を緩めてファン支持部１１７を外箱１０２から取り外し、その後さらにねじ１１５ａおよび１１５ｂを緩めて、ファン支持部１１７からファン１１６を取り外す必要がある。このような作業を行なうことは手間がかかり、ファン１１６のメンテナンス時の作業性が損なわれる。
【００１５】
そこで、この発明の目的は、上記の課題を解決することであり、装置内部に取り込んだ空気をファンを介して効率良く排気するとともに、雨水が吸気口および排気口から装置内部に浸入するのを防止し、さらにはファンのメンテナンス時の作業性に優れた屋外設置パワーコンディショナ装置を提供することである。
【００１６】
【課題を解決するための手段】
この発明に従った屋外設置パワーコンディショナ装置の冷却構造は、吸気口と第１の排気口とを有する筐体と、筐体内に設けられた電力変換部と、筐体内に設けられて、電力変換部を冷却するファンとを備える。このファンは、吸気口から取り入れられた気体を電力変換部を介して第１の排気口へ流れるように送風する。ファンから送り出される気体の流れる方向と、第１の排気口から排出される気体の流れる方向とが鋭角をなすように、ファンが第１の排気口に対して傾斜している。
【００１７】
このように構成された屋外設置パワーコンディショナ装置の冷却構造によれば、ファンによって吸気口から取り入れられた気体は屋外設置パワーコンディショナ装置の熱源体としての電力変換部を冷却する。ファンから送り出される気体の流れる方向と、第１の排気口から排出される気体が流れる方向とが鋭角をなすようにして、ファンと第１の排気口との相対的な位置が決定されているため、電力変換部と熱交換が行なわれた空気が第１の排気口から筐体の外部に効率良く排出される。これにより、筐体内に設けられた電力変換部の温度上昇を抑えることができる。
【００１８】
また好ましくは、屋外設置パワーコンディショナ装置の冷却構造は、第１の排気口と連通し、かつ筐体と隣接して設けられた排気路形成部材をさらに備える。排気路形成部材は、第１の排気口から排出された気体を屋外設置パワーコンディショナ装置の外部に排出するための第２の排気口を含む。このように形成された屋外設置パワーコンディショナ装置の冷却構造によれば、筐体と隣接して第１の排気口を覆うように排気路形成部材を設けているため、外部の雨水が直接第１の排気口から筐体内に浸入することを防止できる。これにより、筐体内に設けられた電力変換部などの電子機器を雨水から保護することができる。
【００１９】
また好ましくは、筐体は、第１の排気口から第２の排気口に向けて気体を案内する排気ガイドを含む。このように構成された屋外設置パワーコンディショナ装置の冷却構造によれば、第１の排気口から排出された気体が排気ガイドによって第２の排気口に導かれるため、気体を効率良く屋外設置パワーコンディショナ装置の外部に排出することができる。これにより、筐体内に設けられた電力変換部の温度上昇をさらに抑えることができる。
【００２０】
また好ましくは、屋外設置パワーコンディショナ装置の冷却構造は、筐体の内部側で、吸気口を覆うように形成された防水部材をさらに備える。防水部材は、吸気口から電力変換部に向けて気体を案内する吸気ガイドを含む。このように構成された屋外設置パワーコンディショナ装置の冷却構造によれば、暴風雨時などに雨水が吸気口から筐体の内部に浸入することを防止できる。これにより、筐体内に設けられた電力変換部などの電子機器を雨水から保護することができる。また、防水部材は吸気ガイドを有しているため、吸気口から筐体内に取り込んだ空気を熱源体としての電力変換部に向けて導くことができる。このように外部の冷たい空気を電力変換部に向けて効率良く導くことによって、電力変換部の温度上昇をさらに抑えることができる。
【００２１】
また好ましくは、ファンは、筐体から直接脱着可能に取り付けられている。このように構成された屋外設置パワーコンディショナ装置の冷却構造によれば、ファンと連結しているモータが寿命となった場合などに、ファンを筐体から容易に取り外すことができる。これにより、ファンの交換が容易となりファンのメンテナンス時の作業性が向上する。
【００２２】
【発明の実施の形態】
この発明の実施の形態について、図面を参照して説明する。
【００２３】
（実施の形態）
図１は、この発明の実施の形態における屋外設置パワーコンディショナ装置の外観を示す斜視図である。
【００２４】
図１を参照して、屋外設置パワーコンディショナ装置１は、外箱２と、外箱２の正面側に設けられている開口部を覆う蓋４と、四面を壁面で構成する取付け板３とを備える。取付け板３が建造物外壁に取付けられて、屋外設置パワーコンディショナ装置１が屋外に設置される。外箱２の底面２ａには吸気口５が、外箱２の背面２ｂには排気口６が設けられている。吸気口５は、矩形の孔が複数列にわたって形成されて設けられている。取付け板３は、外箱２の背面２ｂ側に排気口６と連通して設けられており、その側面には長孔形状のスリット部７が設けられている。
【００２５】
図２は、図１中のＩＩ−ＩＩ線上に沿った断面図である。図２を参照して、外箱２の底面２ａの内部側には、吸気口５を覆うようにして防水カバー１１が形成されている。防水カバー１１の上面には、開口部１２が設けられている。防水カバー１１の上方では、外箱２の背面２ｂにヒートシンク１３が設けられている。ヒートシンク１３内は、上下に延びる複数の羽根部２１によって複数に分割されている。ヒートシンク１３上には、太陽電池などから出力された直流電力を交流電力に変換する電力変換部１４が設けられている。
【００２６】
外箱２の上面２ｃには、ファン支持部１８が設けられており、その底面には孔１９が複数形成されている。なお、ファン支持部１８の底面は傾斜している。ファン支持部１８は、外箱２の背面２ｂに設けられた排気口６と連通している。ヒートシンク１３に面したファン支持部１８の傾斜している底面にはファン１５ａ、１５ｂおよび１５ｃが設けられており、それぞれがファン支持部１８に形成された孔１９と連通している。ファン１５の底面には孔１７が形成されている。ファン１５の内部には回転羽根１６が設けられており、回転羽根１６はファン１５内の図示しないモータと連結されている。
【００２７】
図３は、図１中のＩＩＩ−ＩＩＩ線上に沿った断面図である。図３を参照して、防水カバー１１の上面には、ヒートシンク１３の下方に向って延びる吸気ガイド３３が形成されている。電力変換部１４の中で最も発熱するパワー素子３４がヒートシンク１３の表面に接するように設けられている。ファン支持部１８の底面は傾斜しており、その底面とファン１５のファン接続部分３５とが、底面前方にある凸部２０とファン接続部分３５にある図示しないスリット部とを嵌合させ、ねじ３６ａによって止め付けられている。ねじ３６ａはねじ頭が外箱２の開口部３１に向くように設けられている。このためファン１５のメンテナンスを行なう場合、外箱２の蓋４を取り外し、外箱２の開口部３１側からねじ３６ａを緩めることで、ファン１５を外箱２から直接取り外すことができる。また新しいファンを外箱２に取付ける場合は、上述の手順を逆の順番で行えばよい。
【００２８】
ファン１５内で回転羽根１６の回転軸がファン支持部１８の底面に垂直に交わるように回転羽根１６が設けられている。ファン１５内の回転羽根１６が稼働することによって、矢印４６に示す方向に空気が送風される。ファン１５によってファン支持部１８内に導入された空気は、排気口６から外箱２の外部に矢印４７に示す方向に流れて排出される。この場合、ファン１５とヒートシンク１３との位置関係から矢印４６に示す方向と矢印４７に示す方向とで形成される角度αが７０°となるように、ファン支持部１８の底面の傾斜が形成されている。これにより、外箱２内部の空気を効率良く排気口６に送ることができる。
【００２９】
なお、本実施の形態では、矢印４６に示す方向と矢印４７に示す方向とで形成される角度αを７０°としたが、構造的に可能であれば角度αは直角よりも小さい角度、つまり鋭角としても良い。
【００３０】
外箱２の背面２ｂには、上部引っ掛け部３７、中央部引っ掛け部４０および下部ねじ止め部３８が設けられており、これらの部分を取付け板３の対向する部分に係止およびねじ止めして、外箱２を取付け板３に固定する。このように外箱２を取付け板３に固定することで、屋外設置パワーコンディショナ装置１が暴風雨などにより取付け板３から脱落することを防止できる。
【００３１】
外箱２の背面２ｂには、外箱２の外部側であって排気口６の近傍に、排気ガイド３９が設けられている。排気ガイド３９は、排気口６が長手方向に延びている間にわたって形成されている。排気ガイド３９には、排気口６と向い合う位置に傾斜部３９ａが設けられており、傾斜部３９ａの端部から下方に延びて形成されている。
【００３２】
図４は、本実施の形態における屋外設置パワーコンディショナ装置を用いたシステムの回路図である。図４を用いて、屋外設置パワーコンディショナ装置を用いたシステムについて簡単に説明する。
【００３３】
図４を参照して、電力変換部１４が外箱２の内部に設けられている。電力変換部１４は、スイッチング素子などの主回路部品、およびマイコンなどの制御回路部品から構成されている。外箱２の外部には、直流電源５５、商用電力系統５７および家庭内電気負荷５６が形成されている。電力変換部１４には、直流電源５５、商用電力系統５７および家庭内電気負荷５６からの配線が接続されている。
【００３４】
このように構成された屋外設置パワーコンディショナ装置を用いたシステムでは、直流電源５５から出力された直流電力を、電力変換部１４を介して周波数５０／６０Ｈｚの交流電力に変換することができる。そしてその交流電力を商用電力系統５７または家庭内電気負荷５６に供給することができる。
【００３５】
図５は、図１中のＶ−Ｖ線上に沿った断面図である。図５を用いて、屋外設置パワーコンディショナ装置１の冷却構造について説明する。
【００３６】
図５を参照して、防水カバー１１は断面が長方形の箱型形状を有しており、ヒートシンク１３の下方近傍に位置するように開口部１２が形成されている。また、吸気口５には、外箱２の内部側に向けて傾斜板５ａが形成されており、これにより暴風雨時などに吸気口５から外箱２内に雨水が浸入することをある程度防止することができる。
【００３７】
ファン１５内の回転羽根１６を稼働させることによって、外部の冷たい空気が、吸気口５から外箱２の内部に取り入れられる。取り入れられた空気は防水カバー１１の内部に形成された空間を通り開口部１２から排出される。このとき空気は、防水カバー１１に形成された吸気ガイド３３に案内されて、ヒートシンク１３内に形成された空間６３へと進む。
【００３８】
空間６３はヒートシンク１３内に形成された上下に延びる羽根部２１（図２を参照のこと）によって複数に分かれており、空気はこの各々の空間６３を通過する。パワー素子３４で発生する熱はヒートシンク１３の羽根部２１に伝導しているため、ヒートシンク１３内の羽根部２１に接触しながら空気が通過することによって、その羽根部２１の熱が奪われる。その結果、電力変換部１４は冷却されることとなる。
【００３９】
ヒートシンク１３内の空間６３を通過した空気はヒートシンク１３の羽根部２１上方から、ファン１５の孔１７およびファン支持部１８の孔１９を通過し、ファン支持部１８内の空間６４に導かれる。このとき、ファン１５を通過した空気は回転羽根１６の軸方向に沿って進む。上述のようにファン１５は傾斜して設けられているため、角度α＝７０°の場合ではファン支持部１８の上面に当たった空気の約６０％が、排気口６側の矢印６７に示す方向に流れ、残りの約４０％が排気口６とは反対側の矢印６６に示す方向に流れてファン支持部１８内を循環する。これにより、外箱２内部の空気を効率良く排気口６に送ることができる。
【００４０】
排気口６から排出された空気は、排気ガイド３９に沿って進みスリット部７から屋外設置パワーコンディショナ装置１の外部に排出される。
【００４１】
この発明の実施の形態に従った屋外設置パワーコンディショナ装置１の冷却構造は、吸気口５と第１の排気口としての排気口６とを有する筐体としての外箱２と、外箱２内に設けられた電力変換部１４と、外箱２内に設けられて、電力変換部１４を冷却するファン１５とを備える。このファン１５は、吸気口５から取り入れられた気体を電力変換部１４を介して排気口６へ流れるように送風する。ファン１５から送り出される気体の流れる方向としての矢印４６が示す方向と、排気口６から排出される気体が流れる方向としての矢印４７が示す方向とが鋭角をなすように、ファン１５が排気口６に対して傾斜している。
【００４２】
屋外設置パワーコンディショナ装置１の冷却構造は、排気口６と連通し、かつ外箱２と隣接して設けられた排気路形成部材としての取付け板３をさらに備える。取付け板３は、排気口６から排出された気体を屋外設置パワーコンディショナ装置１の外部に排出するためのスリット部７を含む。外箱２は、排気口６からスリット部７に向けて気体を案内する排気ガイド３９を含む。屋外設置パワーコンディショナ装置１の冷却構造は、外箱２の内部側で、吸気口５を覆うように形成された防水部材としての防水カバー１１をさらに備える。防水カバー１１は、吸気口５から電力変換部１４に向けて気体を案内する吸気ガイド３３を含む。ファン１５は、外箱２から直接脱着可能に取り付けられている。
【００４３】
このように形成された屋外設置パワーコンディショナ装置１の冷却構造によれば、ファン１５から送り出される気体の流れる方向としての矢印４６が示す方向と、排気口６から排出される気体が流れる方向としての矢印４７が示す方向とが鋭角をなしているため、ファン１５から送り出された空気が効率良く排気口６から外箱２の外部に排出される。また、防水カバー１１に設けた吸気ガイド３３により、吸気口５からヒートシンク１３内に外部の冷たい空気が効率良く導かれる。さらに、取付け板３が形成する空間内に設けた排気ガイド３９により、排気口６から排出された空気がスリット部７に効率良く導かれる。これらの理由により、屋外設置パワーコンディショナ装置１内で冷却用の空気を効率良く循環させ電力変換部１４の強制空冷を行なうことにより、電力変換部１４の温度上昇を抑えることができる。
【００４４】
また、吸気口５を覆うように設けられた防水カバー１１により、吸気口５から電力変換部１４などの電子機器が設けられた空間に雨水が浸入することを防止できる。特に暴風雨時などに雨水が地面に当たり上方へ跳ね返り外箱２の底面２ａから吹き上がるような条件においても、雨水の浸入を有効に防止することができる。これにより、外箱２の内部に設けられた電子機器をより確実に雨水から保護することができる。さらに、排気ガイド３９の傾斜部３９ａが排気口６を覆うようにして設けられているため、スリット部７から浸入した雨水が風にあおられて排気口６から浸入することも防止できる。
【００４５】
さらに、ねじ３６ａを緩めることによって、ファン１５を直接外箱２から脱着することができるので、ファン１５のメンテナンス時の作業性を向上させることができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４７】
【発明の効果】
以上説明したように、この発明に従えば、装置内部に取り込んだ空気をファンを介して効率良く排気するとともに、雨水が吸気口および排気口から装置内部に浸入するのを防止し、さらにはファンのメンテナンス時の作業性に優れた屋外設置パワーコンディショナ装置を提供することができる。
【図面の簡単な説明】
【図１】この発明の実施の形態における屋外設置パワーコンディショナ装置の外観を示す斜視図である。
【図２】図１中のＩＩ−ＩＩ線上に沿った断面図である。
【図３】図１中のＩＩＩ−ＩＩＩ線上に沿った断面図である。
【図４】本実施の形態における屋外設置パワーコンディショナ装置を用いたシステムの回路図である。
【図５】図１中のＶ−Ｖ線上に沿った断面図である。
【図６】従来技術の屋外設置パワーコンディショナ装置の外観を示す斜視図である。
【図７】図６中のＶＩＩ−ＶＩＩ線上に沿った断面図である。
【図８】図６中のＶＩＩＩ−ＶＩＩＩ線上に沿った断面図である。
【符号の説明】
１　屋外設置パワーコンディショナ装置、２　外箱、３　取付け板、５　吸気口、６　排気口、７　スリット部、１１　防水カバー、１４　電力変換部、１５
ファン、３３　吸気ガイド、３９　排気ガイド、４６，４７　矢印。
【図１】
2004055681.tif 000003
【図２】
2004055681.tif 000004
【図３】
2004055681.tif 000005
【図４】
2004055681.tif 000006
【図５】
2004055681.tif 000007
【図６】
2004055681.tif 000008
【図７】
2004055681.tif 000009
【図８】
2004055681.tif 000010